【事件の表示】
　特願２００９−１２９９０６号「弾球遊技機」拒絶査定不服審判事件〔平成２１年８月２０日出願公開、特開２００９−１８３７７６号、請求項の数（２）〕について、次のとおり審決する。
【結　論】
　原査定を取り消す。
　本願の発明は、特許すべきものとする。
【理　由】
第１　手続の経緯
　本件に係る出願（以下「本願」という。）は、平成１７年１２月１２日に出願した特願２００５−３５８０５７号（以下「原出願」という。）の一部を平成２１年５月２９日に新たな特許出願としたものであって、平成２３年６月２９日付けで拒絶理由が通知され、平成２４年６月２２日付けで拒絶査定がされ（発送日：同年６月２６日）、これに対し、同年９月２４日に拒絶査定不服審判が請求されるとともに、その審判の請求と同時に手続補正がなされたものである。
　そして、平成２５年８月８日付けで当審にて特許法第３６条第６項に関する拒絶理由の通知がなされ、同年１０月１０日付けで手続補正がなされたものである。
　
第２　本願発明について
　本願の請求項１及び２に係る発明（以下「本願発明１及び２」という。）は、出願当初の特許請求の範囲の請求項１及び２に記載された事項により特定される次のとおりのものである。
「【請求項１】
　遊技球が特定領域を通過すると、出力レベルが第一レベルから第二レベルに変化し、その後、第一レベルに戻る検出信号を出力する検出回路を有し、検出信号が第一レベルから第二レベルに変化すると、所定の抽選処理を実行して遊技者に有利な遊技状態を発生させるか否かを決定する弾球遊技機であって、
　定常処理に至るまでの電源投入後の初期処理において、遊技機を計数禁止状態に設定する初期処理手段と、
　その後の定常処理において、所定時間毎に検出回路から検出信号を取得する取得手段と、
　取得手段が取得した検出信号の出力レベルを判定する判定手段と、
　判定手段によって検出信号の出力レベルが第一レベルであると判定される場合には、前記計数禁止状態を解消する解消手段と、
　判定手段によって検出信号の出力レベルが第二レベルであると判定される場合には、前記計数禁止状態が解消済みであることを条件に、第二レベルの取得回数を計数する計数手段と、
　計数手段による第二レベルの取得回数が所定値に一致すると、所定の抽選処理の実行を開始する実行許可手段と、
　を備えることで、検出回路から取得される検出信号が、電源投入直後から第一レベルになることなく第二レベルを維持する異常時には、定常処理の計数手段が機能しないよう構成されたことを特徴とする弾球遊技機。
　
【請求項２】
　遊技球が特定領域を通過すると、出力レベルが第一レベルから第二レベルに変化し、その後、第一レベルに戻る検出信号を出力する検出回路を有し、検出信号が第一レベルから第二レベルに変化すると、所定の抽選処理を実行して遊技者に有利な遊技状態を発生させるか否かを決定する弾球遊技機であって、
　前記抽選処理を実行する定常処理に至るまでの電源投入後の初期処理において、検出回路から検出信号を取得する初期取得手段と、
　初期取得手段が取得した検出信号の出力レベルを判定する判定手段と、
　判定手段によって検出信号の出力レベルが第二レベルであると判定される場合には、異常状態の発生を報知する異常報知動作を開始すると共に、判定手段を繰り返し機能させることで、定常処理への移行を待機する動作禁止手段と、
　判定手段によって検出信号の出力レベルが第一レベルであると判定される場合には、異常報知動作が実行中であるか否かを判定し、異常報知動作中である場合には、異常が復帰したことを報知した上で、定常処理への移行を開始する動作開始手段と、
　を備えることで、検出回路から取得される検出信号が、前記初期処理において、第一レベルになることなく第二レベルを維持する異常時には、定常処理が開始されないよう構成されたことを特徴とする弾球遊技機。」
　
第３　原査定の理由の概要
　この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　
　　　　　記　　　（引用文献等については引用文献等一覧参照）
　
・請求項１について引用文献１、２
・請求項２、３について引用文献２、３
備考：
・請求項１
　本願の請求項１に係る発明と引用文献１（特に、段落【００２５】、【００２９】、【００３５】、【００３８】、【００４４】、【００４７】、図２、図３、図５、図６を参照のこと。）に記載された発明とを対比すると、両者は、本願の請求項１に係る発明では、取得手段の取得値が第一レベルである場合には、計数禁止状態を解消する解消手段を備えるのに対して、引用文献１に記載された発明では、このような構成を有しない点で相違するが、取得手段の取得値が第一レベルである場合には、計数禁止状態を解消する解消手段を設けることは引用文献２（特に、段落【００２０】、【００２４】、図１０を参照のこと。）に記載されている。
　
・請求項２
　本願の請求項２に係る発明と引用文献２（特に、段落【００２０】、【００２４】、図１０を参照のこと。）に記載された発明とを対比すると、両者は、本願の請求項２に係る発明では、初期取得手段の取得値が第二レベルである場合には、異常状態の発生を報知すると共に遊技動作を禁止する動作禁止手段を備えるのに対して、引用文献２に記載された発明では、初期取得手段の取得値が第二レベルである場合には、遊技動作を禁止する動作禁止手段を備えるものの、このような構成を有しない点で相違するが、初期取得手段の取得値が第二レベルである場合に、異常状態の発生を報知することは引用文献３（特に、段落【００６１】〜【００６３】を参照のこと。）に記載されている。
　
・請求項３
　初期取得手段の処理を繰り返し実行させることで、検出回路からの検出信号を繰り返し取得している動作開始手段を設けることは引用文献２（特に、段落【００２０】、【００２４】、図１０を参照のこと。）に記載されている。
　
　　　　　　　　　　　　引　用　文　献　等　一　覧
　１．特開２００１−２９３１４９号公報
　２．特開平９−４７５５４号公報
　３．特開２００１−２９３１８３号公報
　
第４　当審の判断
　４−１　本願発明１について
　　１　刊行物の記載事項
　　（１）原査定において提示され、原出願の出願前に頒布された刊行物である特開２００１−２９３１４９号公報（以下「刊行物１」という。）には、図面と共に次の事項が記載されている。
　　　　ア　「【発明の属する技術分野】本発明は、機内に設けられたセンサ（例えば、賞球検出手段、入賞球検出手段等）の検出信号を監視しつつ、機内の被制御機器（例えば、入賞装置、表示装置、排出ユニット等）の動作を制御する制御装置（例えば、遊技制御装置、排出制御装置）を有する遊技機（例えば、
パチンコ機
に関する
　　　　イ　「【発明が解決しようとする課題】・・・そこで本発明は、機内のセンサの検出信号の監視漏れが生じ難い遊技機を提供することを目的としており、特に、上述したような停電処理を実行する遊技機において、停電の際に、機器の動作が保証されている電源電圧ぎりぎりまで（即ち、例えばリセット信号によって機能停止する間際のできるだけ最後まで）、センサの検出信号の監視が実行されるようにすることを目的としている。」（段落【0003】〜【0005】）
　　　　ウ　「Ｄ．制御系の構成
次に、本パチンコ機の制御系の主要構成について説明する。図２に示すように、この制御系は、大きく分けて、遊技制御装置１７と、排出制御装置１６を初めとするその他の周辺装置等によって構成される。遊技制御装置１７は、ワンチップマイコンからなる遊技用マイクロコンピュータ１１０と、水晶の発振周波数を分周して所定のクロックを得るクロック生成回路（ＣＬＫ）１０１と、各種信号の入出力を行う入出力インターフェース１０２と、リセット信号第１遅延回路１０３とを含んで構成される。遊技用マイクロコンピュータ１１０は、ＣＰＵ１１１、ＲＯＭ１１２、ＲＡＭ１１３を内蔵しており、いわゆるアミューズチップ用のＩＣとして製造されている。ここで、ＲＡＭ１１３は、バックアップ機能付き制御装置（遊技制御装置１７）において遊技状態を再現するための情報や未排出の遊技価値情報（この場合、賞球数情報）などを電源遮断時（停電時含む）においても記憶保持するバックアップされた記憶手段に相当している。」（段落【0025】）
　　　　エ　「入出力インターフェース１０２には、図２に示すように、特図始動スイッチ５１、普図始動スイッチ５２、アタッカーＶスイッチ５３、アタッカーカウントスイッチ５４、
入賞口スイッチ１〜Ｎ（Ａ１〜ＡＮ）からの検出信号
特図始動スイッチ５１は、前述した特図始動口
への遊技球の入賞を検出するセンサであり
スイッチ５１
は、いわゆる入賞球検出手段に相当する
　　　　オ　「一方、入出力インターフェース１０２からは、前述の表示制御装置２０、装飾制御装置２１、音制御装置２２、前述の普図表示器を構成する普図ＬＥＤ７、前述の普通変動入賞装置を駆動する普電ソレノイド１３４、前述の特別変動入賞装置の開閉扉を駆動するアタッカーソレノイド１３５、前述の遊技盤用外部出力端子盤２５を構成する遊技盤用外部出力端子１３６、試験用出力部１３８に信号が出力される。また、この入出力インターフェース１０２からは、排出制御装置１６に前述の遊技価値排出制御情報（払出コマンド）の信号が出力される。ここで、遊技盤用外部出力端子１３６は、遊技盤側に設けられた外部情報端子であり、ここから外部の管理装置（図示略）に前述の如く各種信号（例えば、大当り信号等）を出力するものである。なお、管理装置はホール全体の遊技機、島設備等を管理するもので、入力された各種信号に基づいて営業上の必要なデータを演算処理し、処理したデータを必要に応じてディスプレイに表示したり印刷したりする、例えばコンピュータシステムである。また、試験用出力部１３８は、遊技制御装置１７に記憶されている情報の読み出し等が可能な通信用の端子であり、遊技制御装置１７の状態を検査する際などに用いるものである。」（段落【0029】）
　　　　カ　「Ｅ．遊技の概要
次に、本実施の形態の遊技機で行われる遊技の概要について説明する。遊技盤（図示省略）の遊技領域中に打込まれた遊技球が、特図の始動口（チャッカー）を兼ねた普通変動入賞装置に入賞すると（即ち、始動入賞があると）、表示装置の表示画面の複数の変動表示領域において多数の特図（数字、文字、記号、模様等よりなるもの）が変動（例えば、スクロール）する表示（いわゆる変動表示）が行われて、変動表示ゲームが行われる。そして、この変動表示ゲーム結果（停止した特図の組合せ）が特定表示態様（例えば、「７、７、７」などのゾロ目）であれば、大当りと呼ばれる遊技価値が付与される。なお制御上は、例えば始動入賞があったことを条件として、
大当り乱数などの各種乱数の値が抽出記憶されて、この抽出記憶された乱数値と予め設定された判定値と
の比較判定結果に基づいて
大当りとするか否か
が決定され
　この大当りになると、特別変動入賞装置の大入賞口の開閉扉が、規定時間（例えば、３０秒）を越えない範囲内において、例えば１０個入賞までの期間だけ一時的に開放される開放動作が行われる。そして、この開放動作は、継続入賞球の検出（アタッカーＶスイッチ５３による入賞球の検出）が行われることを条件に、例えば、１６ラウンドまで複数回行われる。また、上記特図の変動表示ゲーム中又は大当り中に、始動入賞口にさらに遊技球が入賞したときには、特図始動記憶表示器（図示省略）が点灯してこの場合４個まで記憶され、変動表示ゲーム又は大当りが終了した後に、その記憶（即ち、始動記憶）に基づいて上記特図の変動表示ゲームが繰り返される。一方、遊技中に、遊技球が普図始動口に入賞（通過）したときは、普通図柄表示装置の普図（この場合、一桁の数字）の変動表示による普図の変動表示ゲームが行われる。そして、この変動表示ゲーム結果（停止した普図）が所定の態様（例えば、「７」）であれば、普図当りと呼ばれる遊技価値が付与される。この普図当りになると、始動入賞口の一対の開閉部材が逆ハの字に開いた開放状態に、例えば０．５秒程度保持される遊技が行われる。これにより、始動入賞口に遊技球が入賞し易くなり、その分、特図の変動表示ゲームの実施回数が増えて大当りになる可能性が増す。また、上記普図の変動表示ゲーム中に、普図始動口にさらに遊技球が入賞したときには、普図始動記憶表示器（図示省略）が点灯してこの場合４個まで記憶され、普図の変動表示ゲームの終了後に、その記憶に基づいて上記普図の変動表示ゲームが繰り返される。
　Ｆ．制御系の動作
次に、本パチンコ機の制御処理の一例について説明する。
（ａ）遊技制御装置のメイン処理
まず、遊技制御装置１７（マイコン１１０）のメイン処理を、図３及び図４により説明する。リセット情報が非アクティブとなり（リセット信号が解除されて）マイコン１１０が起動すると、
通常割込を禁止し
通常の電源投入時
通常割込処理を起動すべく割込タイマ
を設定して割込を許可し（ステップＳ５Ｃ，Ｓ５Ｄ）
　ステップＳ５Ｅでは、ＲＡＭ検査領域のチェックを行い、その結果が正常の場合は、ステップＳ５Ｇ〜Ｓ５Ｏの処理へ進み、一方、検査結果が異常の場合は、初期化するためステップＳ５Ａに戻ってステップＳ５Ａ〜Ｓ５Ｄの処理を実行する（ステップＳ５Ｆ）。ここで、ＲＡＭ検査領域のチェックとは、ステップＳ５Ｅで、ＲＡＭ１１３の検査領域に例えば５５ｈを書き込み、ステップＳ５Ｅ〜Ｓ５Ｏの一連の処理実行後に、その検査領域のデータが５５ｈのままか否か（壊れていないか否か）をチェックするという周知のものである。次に、ステップＳ５Ｇ（スイッチ入力監視処理）では、後述する通常割込処理（図５）のステップＳ１２で設定されるスイッチ入力フラグを監視し、
特図始動スイッチ５１のスイッチ入力フラグが設定されていると、大当たり乱数
を抽出し記憶するなどの処理を実行する
スイッチ入力フラグは、各センサの検出信号のアクティブ状態（例えば、Ｈレベル）がこの場合０．５ｍｓｅｃ周期で２回連続して読み取られると、設定されるフラグである
　　　　キ　「（ｂ）遊技制御装置の通常割込処理
次に、遊技制御装置１７（マイコン１１０）の通常割込処理を、図５により説明する。この通常割込処理は、前述したステップＳ５Ｃ又はＳ６Ｅの処理によって起動され、０．５ｍｓｅｃ毎に実行される。まず、ステップＳ１０で、レジスタのデータをＲＡＭ１１３の所定エリアに退避させ、次いでステップＳ１１で、マイコン１１０の暴走を監視するウォッチドッグタイマをセット（図示省略したウォッチドッグ用ＩＣを所定時間毎にセット）してスイッチ読込処理（ステップＳ１２）に進む。
スイッチ読込処理（ステップＳ１２）では
センサに相当する
各スイッチ類
特図始動スイッチ５１
の検出信号の読み取りを実行する
各センサの出力値を
割込周期
毎に判定し
出力値がＬレベルからＨレベルに変移した後にＨレベルの状態が２回以上連続して判定されたときに
出力値がＨレベルからＬレベルに変移した後、Ｌレベルの状態が２回以上連続して判定されたときに、賞球検出センサ４２の検出信号がオフである
として読み取っている
賞球検出センサ４２以外も同様
　
　上記ア〜キの記載事項及び図面の図示内容を総合勘案すると刊行物１には、次の発明が記載されていると認められる。 
　「特図始動口への遊技球の入賞を検出し、ＬレベルからＨレベルに変移した後、ＨレベルからＬレベルに変移する検出信号を出力する入賞球検出手段としての特図始動スイッチ５１を備え、
　検出信号がＬレベルからＨレベルに変移した後にＨレベルの状態にあることが２回以上連続して判定されると、大当たり乱数を抽出して記憶し、この抽出記憶された乱数値と予め設定された判定値との比較判定結果に基づいて大当りとするか否かが決定されるパチンコ機であって、
　通常の電源投入時に通常割込を禁止（Ｓ１）し、通常割込処理を起動すべく割込タイマを設定して割込を許可（ステップＳ５Ｃ，Ｓ５Ｄ）し、
　入賞球検出手段の検出信号の読込処理（Ｓ１２）により、特図始動スイッチ５１等の各センサの出力値を読込み、出力値を割込周期毎に判定し、
　特図始動スイッチ５１の出力値が、ＬレベルからＨレベルに変移した後にＨレベルの状態が２回以上連続して判定されたときに、大当たり乱数を抽出し記憶するなどの処理を実行する
パチンコ機。」
　
　　（２）同じく、原査定において提示され、原出願の出願前に頒布された刊行物である特開平９−４７５５４号公報（以下「刊行物２」という。）には、図面と共に次の事項が記載されている。
　　　　ア　「【発明の属する技術分野】本発明は、入賞口の種類等に応じて異なる賞品球数を払出す
パチンコ機
　　　　イ　「【発明が解決しようとする課題】前記のように、遊技中において、特定入賞口に遊技球が入賞する毎に特定球カウンタが積算され、この特定球カウンタの値は、一般に、ＲＡＭ（ランダムアクセスメモリ）に記憶される。そこで、特定球カウンタの値がゼロ（初期値）でない遊技中に、停電が発生した時には特定球カウンタの値は消滅する。その後、電源を投入すると、前記特定球カウンタは初期化され、前記特定入賞口に入賞の遊技球は入賞球検出器で検出されるが、特定球カウンタの値が初期値（ゼロ）として賞品球の払出しを行う。このことは、停電前に、遊技球が特定入賞口に入賞して１５個の賞品球の獲得が可能であるにも拘らず、少ない７個の賞品球を得ることとなり、遊技者に不利益をもたらす。
　又、電源投入時、入賞球が入賞球検出器で検出されたとき、遊技者に不利益とならないように、それらの入賞球は全て特定入賞口に入賞したものとして、１５個（第１の賞品球数）の賞品球を払出すことが考えられる。しかし、前記入賞球に対して、第１の賞品球数の賞品球を払出し中に、遊技を再開して、遊技球がその他の入賞口に入賞すると、この入賞球に対しても、特定入賞口の入賞として、第１の賞品球数の賞品球を払出すこととなり不適正である。そこで、本発明は、前記の不都合を解消する賞品球の払出しを考慮したパチンコ機を提供するものである。」（段落【0003】〜【0004】）
　　　　ウ　「【発明の実施の形態】図１はパチンコ機の遊技盤の表面側を示し、図２はその遊技盤を取り付けたパチンコ機の裏面図である。遊技盤１５０のほぼ中央には、液晶で製作の特別図柄表示部Ｌ１、Ｌ２、Ｌ３を有する図柄表示器Ｌが取り付けてあり、その両側には通過ゲート１５１ａ、１５１ｂが配設してある。尚、この通過ゲート１５１ａ、１５１ｂを遊技球が通過しても賞品球の排出を行わないが、通過検出器１５２ａ、１５２ｂで遊技球を検出すると、通過ゲート１５１ａに付設の普通図柄表示器１５４の図柄が変動を開始する。そして、当たりと判定されると、所定の停止図柄を表示すると共に
普通電動役物（入賞口）１５３
　
遊技球が、
入賞し
普通検出器１５３ａが検出すると
特別図柄表示部Ｌ１、Ｌ２、Ｌ３の図柄が変動を開始する
大当たりと判定されると
大当たりの処理
　尚、特定入賞口１５５に入賞した入賞球は特定球検出器１５５ａで検出された後、前記普通電動役物１５３に入賞した入賞球は普通検出器１５３ａで検出された後、又、前記図柄表示器Ｌの頂部の入賞口１５８、前記特定入賞口１５５の左右に設けた入賞口１５９ａ、１５９ｂの入賞球５ａは、何れも、遊技盤の裏面側に形成の集合通路１１６上を転がって後述する入賞球排出装置１２０へ導かれる。尚、特定球検出器１５５ａで検出される入賞球に対しては第１の賞品球数（賞品球１５個）を、その他の入賞球に対しては第２の賞品球数（賞品球７個）を、後述する賞品球払出装置１を介して上皿（図示略）に払出す。
　機構板１０１の上部には賞品球タンク１０２が取り付けられ、その賞品球タンク１０２には補給機（図示せず）から賞品球が補給される。賞品球タンク１０２の右下部には賞品球払出装置１が設けられ、その間には、整列経路１０３が傾斜して配置されている。整列経路１０３は、賞品球タンク１０２に貯留されている賞品球を複数列に整列させて賞品球払出装置１に供給するものである。賞品球払出装置１の下部には払出通路１０４が垂設されていて、計数払出しされた賞品球は上皿払出口１０５を介して図示しない上皿に導かれる。尚、右端には賞品球タンク１０２内の賞品球５をパチンコ機外に排出する賞品球排出樋１３５が垂設されている。
　前記
各入賞口に入った入賞球５ａ
入賞球５ａを検出する入賞球検出器（近接スイッチ）１２５で検出される
　　　　エ　「次に、パチンコ店の開店時や停電後に行う、パチンコ機の始動電源投入後の入賞球の制御について、図１０を参照して説明する。図１０（Ａ）の制御フローについて説明すると、
電源が投入された後、
入賞球検出器（近接スイッチ）１２５がＯＮか否かを判定する（Ｓ２０
遊技球が何れかの入賞口（普通電動役物１５３、特定入賞口１５５、入賞口１５８、１５９ａ、１５９ｂ等）に入賞したが、賞品球の払出しが完了する前に故障や停電をし、その後、電源が投入されて再開されたときの処理を行うためのものである
停電前に、入賞球がない状態や既に賞品球の払出しが完了しているときには、入賞球検出器１２５はＯＦＦ
であり、賞品球の払出しをせずに
入賞球の処理を行う（Ｓ２４
　反対に、
入賞球検出器１２５がＯＮであるときには、停電前に未処理の入賞球があったので、遊技者に不利とならないように、入賞球１個に対して第１の賞品球数（賞品球数の多い１５個）の賞品球を払出す
　そこで、払出賞品球数を第１の賞品球数（１５個）に設定し（Ｓ２１）、賞品球払出装置１を介して払出しが完了するまで行う（Ｓ２２、Ｓ２３）。そして、ステップ２０に戻り、入賞球検出器１２５が入賞球を検出しなくなるまで、１個の入賞球に対して特定賞品球数（１５個）の払出しを行った後に、図１１に示す入賞球の制御を行う（Ｓ２４）。以上の処理によって、停電又は故障による未処理の入賞球に対して、電源投入後、遊技者に不利益とならないように処理することができる。
　しかしながら、図１０（Ａ）に示す制御を行うと、電源投入後、入賞球の処理をおこなっているときに、遊技者が遊技を開始して入賞口（普通電動役物１５３等）に入賞した場合、本来、その入賞球に対する賞品球数は、第２の賞品球数（賞品球７個）であるが、第１の賞品球数（賞品球１５個）を払出すこととなる。そこで、この不都合を解消するため、図１０（Ｂ）に示す制御を行う。尚、図１０（Ａ）と同じ意味をなすブロックには同じ符号を付して説明を略す。
　
電源投入後、入賞球検出器１２５が入賞球の存在を検出したときには
遊技を不能とする（Ｓ３０）
電源投入前に入賞した入賞球に対する賞品球の払出しが完了するまで、遊技を不能とする
　　　　オ　「【発明の効果】本発明のパチンコ機は、パチンコ機が遊技中に入賞球を得て停電等が生じても、電源投入後に、入賞球の払出しを可能とすると共に、その払出し処理を行っている間、遊技を不能とすることによって、入賞球に対する賞品球の適正を図ることができる。」（段落【0031】）
　
　上記ア〜オの記載事項及び図面の図示内容を総合勘案すると刊行物２には、次の発明が記載されていると認められる。
　「遊技球が何れかの入賞口に入賞したが、賞品球の払出しが完了する前に故障や停電をし、その後、電源が投入されて再開されたときの処理を行うためのものであって、
　普通電動役物（入賞口）１５３に入賞した入賞球５ａを検出する普通検出器１５３ａと、
　何れかの入賞口（普通電動役物１５３、特定入賞口１５５、入賞口１５８、１５９ａ、１５９ｂ等）に入賞した入賞球５ａを検出する入賞球検出器１２５とを備え、
　遊技球が普通電動役物１５３に入賞したことを普通検出器１５３ａが検出すると、特別図柄表示部Ｌ１、Ｌ２、Ｌ３の図柄が変動を開始し、大当たりと判定されると大当たり処理を行うパチンコ機であって、
　電源が投入された後、賞球検出器１２５がＯＦＦ（入賞球を検出せず）であるときには、停電前に入賞球がない状態や既に賞品球の払出しが完了しているので、賞品球の払出しをせずに、入賞球の処理を行い（Ｓ２４）、
　電源が投入された後、入賞球検出器１２５がＯＮであるときには、停電前に未処理の入賞球があったので、遊技者に不利とならないように入賞球１個に対して第１の賞品球数（賞品球数の多い１５個）の賞品球を払出し、払出しが完了するまで、遊技を不能とする
　パチンコ機。」
　
　　２　対比
　本願発明１と刊行物１に記載された発明とを対比する。
　刊行物１に記載された発明の「特図始動口への遊技球の入賞を検出し、ＬレベルからＨレベルに変移した後、ＨレベルからＬレベルに変移する検出信号を出力する入賞球検出手段としての特図始動スイッチ５１」は、「特図始動スイッチ５１」が、検出信号を出力する何らかの出力回路を有することは明らかであるから、本願発明１の「遊技球が特定領域を通過すると、出力レベルが第一レベルから第二レベルに変化し、その後、第一レベルに戻る検出信号を出力する検出回路」に相当し、
　同様に、刊行物１に記載された発明の「検出信号がＬレベルからＨレベルに変移した後にＨレベルの状態が２回以上連続して判定されたときに、大当たり乱数を抽出して記憶し、この抽出記憶された乱数値と予め設定された判定値との比較判定結果に基づいて大当りとするか否かが決定されるパチンコ機」は、「大当り」が遊技者にとって有利な遊技状態であることから、本願発明１の「検出信号が第一レベルから第二レベルに変化すると、所定の抽選処理を実行して遊技者に有利な遊技状態を発生させるか否かを決定する弾球遊技機」に相当する。
　そして、刊行物１に記載された発明の「通常の電源投入時に通常割込を禁止（Ｓ１）し、通常割込処理を起動すべく割込タイマを設定して割込を許可（ステップＳ５Ｃ，Ｓ５Ｄ）」することと、本願発明１の「定常処理に至るまでの電源投入後の初期処理において、遊技機を計数禁止状態に設定する初期処理手段」とは、前者において、電源が投入されてから通常割込処理が許可されるまでの初期処理の間、通常割込処理が禁止されることから、両者は、「定常処理に至るまでの電源投入後の初期処理において、遊技機を何らかの禁止状態に設定する初期処理手段」である点で共通する。
　また、刊行物１に記載された発明の「入賞球検出手段の検出信号の読込処理（Ｓ１２）により、特図始動スイッチ５１等の各センサの出力値を読込み、出力値を割込周期毎に判定」することは、「通常割込処理」が初期処理の後に実行される定常的な処理であることから、本願発明１の「その後の定常処理において、所定時間毎に検出回路から検出信号を取得する取得手段」、及び、「取得手段が取得した検出信号の出力レベルを判定する判定手段」に相当する。
　さらに、刊行物１に記載された発明の「特図始動スイッチ５１の出力値が、ＬレベルからＨレベルに変移した後にＨレベルの状態にあることが２回以上連続して判定されると、大当たり乱数を抽出し記憶するなどの処理を実行する」ことと、本願発明１の「判定手段によって検出信号の出力レベルが第二レベルであると判定される場合には、計数禁止状態が解消済みであることを条件に、第二レベルの取得回数を計数する計数手段と、計数手段による第二レベルの取得回数が所定値に一致すると、所定の抽選処理の実行を開始する実行許可手段」とを対比する。前者では、「Ｈレベルの状態にあることが２回以上連続して判定される」ことから、「Ｈレベルの状態」にある回数を計数する何らかの計数手段を備えているといえる。そうすると、両者は、「第二レベルの取得回数を計数する計数手段と、計数手段による第二レベルの取得回数が所定値に一致すると、所定の抽選処理の実行を開始する実行許可手段」である点で共通する。
　
　したがって、両者の一致点および相違点は、次のとおりである。
［一致点］
「遊技球が特定領域を通過すると、出力レベルが第一レベルから第二レベルに変化し、その後、第一レベルに戻る検出信号を出力する検出回路を有し、検出信号が第一レベルから第二レベルに変化すると、所定の抽選処理を実行して遊技者に有利な遊技状態を発生させるか否かを決定する弾球遊技機であって、
　定常処理に至るまでの電源投入後の初期処理において、遊技機を何らかの禁止状態に設定する初期処理手段と、
　その後の定常処理において、所定時間毎に検出回路から検出信号を取得する取得手段と、
　取得手段が取得した検出信号の出力レベルを判定する判定手段と、
　第二レベルの取得回数を計数する計数手段と、
　計数手段による第二レベルの取得回数が所定値に一致すると、所定の抽選処理の実行を開始する実行許可手段と、
　を備える弾球遊技機。」
　
［相違点１］
　初期処理手段が、本願発明１では、遊技機を計数禁止状態に設定するのに対して、刊行物１に記載された発明では、通常割込を禁止（Ｓ１）させる点。
　
［相違点２］
　本願発明１では、判定手段によって検出信号の出力レベルが第一レベルであると判定される場合には、計数禁止状態を解消する解消手段を備えるのに対して、刊行物１に記載された発明では、当該発明特定事項を備えない点。
　
［相違点３］
　第二レベルの取得回数を計数する計数手段が、本願発明１では、判定手段によって検出信号の出力レベルが第二レベルであると判定される場合には、前記計数禁止状態が解消済みであることを条件に、第二レベルの取得回数を計数するものであるのに対して、刊行物１に記載された発明では、第二レベルの取得回数を計数するが、判定手段によって検出信号の出力レベルが第二レベルであると判定される場合には、計数禁止状態が解消済みであることを条件にするものではない点。
　
［相違点４］
　本願発明１では、検出回路から取得される検出信号が、電源投入直後から第一レベルになることなく第二レベルを維持する異常時には、定常処理の計数手段が機能しないように構成されているのに対して、刊行物１に記載された発明では、当該発明特定事項を具備しない点。
　
　　３　当審による判断
　上記相違点１〜４について検討する。
　本願発明１は、「近接スイッチなどの検出部に素子不良や断線などが生じても、異常動作が開始されることのない弾球遊技機を提供すること」（段落【0004】）という課題を解決するために、「定常処理に至るまでの電源投入後の初期処理において、遊技機を計数禁止状態に設定する初期処理手段」、「その後の定常処理において、所定時間毎に検出回路から検出信号を取得する取得手段」、「取得手段が取得した検出信号の出力レベルを判定する判定手段」、「判定手段によって検出信号の出力レベルが第一レベルであると判定される場合には、計数禁止状態を解消する解消手段」、及び、「判定手段によって検出信号の出力レベルが第二レベルであると判定される場合には、計数禁止状態が解消済みであることを条件に、第二レベルの取得回数を計数する計数手段」を具備し、これら手段によって、「検出回路から取得される検出信号が、電源投入直後から第一レベルになることなく第二レベルを維持する異常時には、定常処理の計数手段が機能しないよう構成され」たものである。
　一方、刊行物２に記載された発明は、遊技球が何れかの入賞口（普通電動役物１５３、特定入賞口１５５、入賞口１５８、１５９ａ、１５９ｂ等）に入賞したが、賞品球の払出しが完了する前に故障や停電をし、その後、電源が投入されて再開されたときの処理を行うためのものであって、電源が投入されて再開されたときに、何れかの入賞口に入賞した入賞球５ａを検出する賞球検出器１２５がＯＮであるときには、停電前に未処理の入賞球があったので、遊技者に不利とならないように入賞球１個に対して第１の賞品球数（賞品球数の多い１５個）の賞品球を払出すものである。
　そうすると、刊行物２に記載された発明は、本願発明１の「定常処理に至るまでの電源投入後の初期処理において、遊技機を計数禁止状態に設定する初期処理手段」（相違点１）、「判定手段によって検出信号の出力レベルが第一レベルであると判定される場合には、計数禁止状態を解消する解消手段」（相違点２）、及び、「判定手段によって検出信号の出力レベルが第二レベルであると判定される場合には、計数禁止状態が解消済みであることを条件に、第二レベルの取得回数を計数する計数手段」（相違点３）を具備せず、さらに、「検出回路から取得される検出信号が、電源投入直後から第一レベルになることなく第二レベルを維持する異常時には、定常処理の計数手段が機能しないよう構成され」（相違点４）ていないものである。
　このように、刊行物２には、上記相違点１〜４に係る本願発明の発明特定事項については記載も示唆もされていないことから、刊行物１に記載された発明に刊行物２に記載された発明を適用しても、上記相違点１〜４に係る本願発明１の構成に到達することはできない。
　よって、本願発明１は、刊行物１及び２に記載された発明に基づいて、当業者が容易に発明をすることができたものとはいえない。
　
　４−２　本願発明２について
　　１　刊行物の記載事項
　刊行物２には、上記４−１　１（２）で認定した発明が記載されている。
　また、原査定において提示され、原出願の出願前に頒布された刊行物である特開２００１−２９３１８３号公報（以下「刊行物３」という。）には、図面と共に次の事項が記載されている。
　　　　ア　「【発明の属する技術分野】本発明は、
各種入賞口に入球した遊技球の通過を検出する検出手段を備えたパチンコ遊技機
　　　　イ　「本発明は上記問題点を解決するためになされたものであり、その
目的は、遊技球の入賞口通過に対して、正確に遊技球の入賞の判断をすること
　　　　ウ　「従って、上記実施形態によれば、以下のような効果を得ることができる。
（１）上記実施形態では、検出確認部７４のオン状態が割り込みの２回分連続し、その後、タイマ値Ｔが０になるまでの間にオフ状態が割り込みの２回分連続したときに、ＣＰＵ６１による遊技球の入賞の判断が行われるため、従来と異なり、例えば、チャタリング等の影響を受けて、連続したオン状態の直後に連続したオフ状態が続かなかった場合でも、確実に遊技球の入賞を判断することができる。
（２）上記実施形態では、入力レベルフラグが１に設定された後に、オフ状態が２回連続したときでないと遊技球の入賞の判断は行われないため、従来と異なり、ノイズ等の影響により、割り込み１回分だけのオフ状態を介して、再び複数回オン状態が連続した場合に誤って複数回の入賞と判断されることはない。
（３）上記実施形態では、
検出確認部７４のオン状態が割り込みの２回分連続したときから、割り込み毎にタイマ値Ｔをマイナス１して割り込み回数をカウントしている。そして、前記タイマ値Ｔが０になったときにはエラー報知をしている
　
　　２　対比
　本願発明２と刊行物２に記載された発明とを対比する。
　まず、刊行物２に記載された発明の「普通電動役物（入賞口）１５３に入賞した入賞球５ａを検出する普通検出器１５３ａ」と、本願発明２の「遊技球が特定領域を通過すると、出力レベルが第一レベルから第二レベルに変化し、その後、第一レベルに戻る検出信号を出力する検出回路」とを対比する。前者において、「普通検出器１５３ａ」が検出信号を出力する何らかの出力回路を有することは明らかであるから、両者は、「遊技球が特定領域を通過することを検出する検出回路」である点で共通する。
　次に、刊行物２に記載された発明の「遊技球が、前記普通電動役物１５３に入賞したことを普通検出器１５３ａが検出すると、特別図柄表示部Ｌ１、Ｌ２、Ｌ３の図柄が変動を開始し、大当たりと判定されると大当たり処理を行うパチンコ機」と、本願発明２の「検出信号が第一レベルから第二レベルに変化すると、所定の抽選処理を実行して遊技者に有利な遊技状態を発生させるか否かを決定する弾球遊技機」とを対比する。前者において、大当たり処理を実行するか否かの判定を抽選処理により行うことは、本願出願前の技術常識であるから、両者は、「遊技球が特定領域を通過したことが検出されると、所定の抽選処理を実行して遊技者に有利な遊技状態を発生させるか否かを決定する弾球遊技機」である点で共通する。
　
　したがって、両者の一致点および相違点は、次のとおりである。
［一致点］
「遊技球が特定領域を通過することを検出する検出回路を有し、
　遊技球が特定領域を通過したことが検出されると、所定の抽選処理を実行して遊技者に有利な遊技状態を発生させるか否かを決定する弾球遊技機。」
　
［相違点１］
　検出回路が出力する検出信号が、本願発明２では、遊技球が特定領域を通過すると、出力レベルが第一レベルから第二レベルに変化し、その後、第一レベルに戻る信号であるのに対して、刊行物２に記載された発明では、検出信号の内容について不明である点。
　
［相違点２］
　所定の抽選処理が、本願発明２では、検出信号が第一レベルから第二レベルに変化すると実行されるのに対して、刊行物２に記載された発明では、検出信号のどのような変化により実行されるのか不明である点。
　
［相違点３］
　本願発明２では、抽選処理を実行する定常処理に至るまでの電源投入後の初期処理において、検出回路から検出信号を取得する初期取得手段と、初期取得手段が取得した検出信号の出力レベルを判定する判定手段と、判定手段によって検出信号の出力レベルが第二レベルであると判定される場合には、異常状態の発生を報知する異常報知動作を開始すると共に、判定手段を繰り返し機能させることで、定常処理への移行を待機する動作禁止手段と、判定手段によって検出信号の出力レベルが第一レベルであると判定される場合には、異常報知動作が実行中であるか否かを判定し、異常報知動作中である場合には、異常が復帰したことを報知した上で、定常処理への移行を開始する動作開始手段と、を備えることで、検出回路から取得される検出信号が、初期処理において、第一レベルになることなく第二レベルを維持する異常時には、定常処理が開始されないよう構成されているのに対して、刊行物２に記載された発明では、当該発明特定事項を備えていない点。
　
　　３　当審による判断
　　（１）上記相違点１及び２について
　遊技機の技術分野において、遊技球が特定領域を通過したことを検出検出回路が出力する検出信号の出力レベルが、第一レベルから第二レベルに変化し、その後、第一レベルに戻ること、及び、遊技者に有利な遊技状態を発生させるか否かを決定する所定の抽選処理の実行を検出信号が第一レベルから第二レベルに変化することで行うことは、原出願の出願前に周知の技術事項である。
　したがって、刊行物２に記載された発明に上記周知の技術事項を適用して、上記相違点１及び２に係る本願発明２の発明特定事項に到達することは、当業者が容易になし得たものである。
　
　　（２）上記相違点３について
　本願発明２は、「近接スイッチなどの検出部に素子不良や断線などが生じても、異常動作が開始されることのない弾球遊技機を提供すること」（段落【0004】）を目的として、「前記抽選処理を実行する定常処理に至るまでの電源投入後の初期処理において、検出回路から検出信号を取得する初期取得手段と、初期取得手段が取得した検出信号の出力レベルを判定する判定手段と、判定手段によって検出信号の出力レベルが第二レベルであると判定される場合には、異常状態の発生を報知する異常報知動作を開始すると共に、判定手段を繰り返し機能させることで、定常処理への移行を待機する動作禁止手段と、判定手段によって検出信号の出力レベルが第一レベルであると判定される場合には、異常報知動作が実行中であるか否かを判定し、異常報知動作中である場合には、異常が復帰したことを報知した上で、定常処理への移行を開始する動作開始手段と、を備えることで、検出回路から取得される検出信号が、前記初期処理において、第一レベルになることなく第二レベルを維持する異常時には、定常処理が開始されないよう構成され」ている。
　これに対して、刊行物３には、各種入賞口に入球した遊技球の通過を検出する検出手段を備えたパチンコ遊技機について、遊技球の入賞口通過に対して、正確に遊技球の入賞の判断をすることを目的として、検出確認部７４のオン状態が割り込みの２回分連続したときから、割り込み毎にタイマ値Ｔをマイナス１して割り込み回数をカウントし、タイマ値Ｔが０になったときにエラー報知をすることについて記載されているが、抽選処理を実行する定常処理に至るまでの電源投入後の初期処理については記載も示唆もされていない。
　したがって、刊行物２に記載された発明に、刊行物３に記載された発明を適用しても、上記相違点３に係る本願発明２の構成に到達することはできない。
　よって、本願発明２は、刊行物２及び３に記載された発明に基づいて、当業者が容易に発明をすることができたものとはいえない。
　
第５　むすび
　以上のとおりであるから、本願発明１は、刊行物１及び２に記載された発明に基づいて当業者が容易に発明をすることができたものとすることができない。
　同様に、本願発明２は、刊行物２及び３に記載された発明に基づいて当業者が容易に発明をすることができたものとすることができない。
　また、他に本願を拒絶すべき理由を発見しない。
　ゆえに、原査定の理由によっては、本願を拒絶することはできない。
　
　よって、結論のとおり審決する。